(57)【要約】【課題】本発明は、点灯装置、照明器具および照明システムに関し、バックコンバータ回路を保護できる点灯装置、照明器具および照明システムを得ることを目的とする。【解決手段】本発明に係る点灯装置は、直流電源から電力の供給を受ける第１入力端子および第２入力端子と、一端が該第１入力端子と接続された第１直流供給線路と、一端が該第２入力端子と接続された第２直流供給線路と、該第１直流供給線路の他端と該第２直流供給線路の他端とに接続され、光源を点灯させるバックコンバータ回路と、該第１直流供給線路上に設けられアノードが該第１入力端子と接続された、または、該第２直流供給線路上に設けられカソードが該第２入力端子と接続された第１ダイオードと、該第１ダイオードと該バックコンバータ回路との間で、該第１直流供給線路と該第２直流供給線路とを接続するコンデンサと、を備える。【選択図】図１
2019067691.tif 000002
【特許請求の範囲】
【請求項１】
直流電源から電力の供給を受ける第１入力端子と、
前記直流電源から電力の供給を受ける第２入力端子と、
一端が前記第１入力端子と接続された第１直流供給線路と、
一端が前記第２入力端子と接続された第２直流供給線路と、
前記第１直流供給線路の他端と前記第２直流供給線路の他端とに接続され、光源を点灯させるバックコンバータ回路と、
前記第１直流供給線路上に設けられアノードが前記第１入力端子と接続された、または、前記第２直流供給線路上に設けられカソードが前記第２入力端子と接続された第１ダイオードと、
前記第１ダイオードと前記バックコンバータ回路との間で、前記第１直流供給線路と前記第２直流供給線路とを接続するコンデンサと、
を備えることを特徴とする点灯装置。
【請求項２】
前記バックコンバータ回路は、スイッチング素子と第２ダイオードとを備え、
前記スイッチング素子は、
前記第１直流供給線路に接続された第１端子と、
前記第２ダイオードのカソードと接続された第２端子と、
前記第１端子と前記第２端子との間をスイッチングする制御端子と、
を有し、
前記第２ダイオードのアノードは、前記第２直流供給線路に接続されることを特徴とする請求項１に記載の点灯装置。
【請求項３】
前記第１ダイオードよりも前記直流電源側でインピーダンスが低下する障害が発生すると、
前記第１ダイオードの寄生容量による電流が、前記第１ダイオードと前記コンデンサを含む経路を通って前記直流電源側に流れることを特徴とする請求項１または２に記載の点灯装置。
【請求項４】
前記障害は、前記第１ダイオードよりも前記直流電源側での前記第１直流供給線路の短絡であることを特徴とする請求項３に記載の点灯装置。
【請求項５】
前記バックコンバータ回路は、スイッチング素子と第２ダイオードとを備え、
前記スイッチング素子は、
前記第１直流供給線路に接続された第１端子と、
前記第２ダイオードのカソードと接続された第２端子と、
前記第１端子と前記第２端子との間をスイッチングする制御端子と、
を有し、
前記第２ダイオードのアノードは、前記第２直流供給線路に接続され、
前記障害が発生した状態では、前記スイッチング素子と前記第２ダイオードには前記寄生容量による電流が流れないことを特徴とする請求項３または４に記載の点灯装置。
【請求項６】
前記コンデンサの容量は、前記第１ダイオードの寄生容量よりも大きいことを特徴とする請求項１〜５の何れか１項に記載の点灯装置。
【請求項７】
前記第１ダイオードは、前記第１直流供給線路上に設けられることを特徴とする請求項１〜６の何れか１項に記載の点灯装置。
【請求項８】
前記第１ダイオードは、前記第２直流供給線路上に設けられることを特徴とする請求項１〜６の何れか１項に記載の点灯装置。
【請求項９】
請求項１〜８の何れか１項に記載の点灯装置と、
前記光源と、
を備えることを特徴とする照明器具。
【請求項１０】
請求項９に記載の照明器具を複数備えることを特徴とする照明システム。
【発明の詳細な説明】
【技術分野】
【０００１】
本発明は、点灯装置、照明器具および照明システムに関する。
【背景技術】
【０００２】
特許文献１には、一対の直流供給線路を介して直流電源に接続され、直流電源からの電力供給を受けて光源を点灯させる光源点灯装置が開示されている。光源点灯装置は、電流制御回路を備える。電流制御回路は、直流入力端間に接続されたスイッチング素子とインダクタとコンデンサとの直列回路を備える。さらに、電流制御回路は、スイッチング素子とインダクタとの接続点側にカソードを接続するように、インダクタおよびコンデンサの直列回路の両端間に接続されたダイオードを有する。
【先行技術文献】
【特許文献】
【０００３】
【特許文献１】特開２００９−１５８１１３号公報
【発明の概要】
【発明が解決しようとする課題】
【０００４】
特許文献１に示されるような一対の直流供給線路を介して直流電源に接続された点灯装置では、点灯装置の入力端子が直流電源に誤接続されることで、正極と負極が反転することがある。この場合、特許文献１の電流制御回路のような電源回路が故障する可能性がある。電源回路は例えば、バックコンバータ回路である。この対策として、直流供給線路にダイオード等の整流素子を設け、電源回路を保護することが考えられる。
【０００５】
ここで、直流供給線路に短絡障害などが発生し、整流素子よりも入力端子側のインピーダンスが低い状態で点灯装置が停止したとする。この場合、整流素子の寄生容量により、電源回路から整流素子を通って入力端子側に向かって大電流が流れる可能性がある。この大電流は、電源回路において、スイッチング素子の寄生ダイオードおよびダイオードを通って流れる。この結果、電源回路が故障する可能性がある。
【０００６】
本発明は、上述の課題を解決するためになされたもので、バックコンバータ回路を保護できる点灯装置、照明器具および照明システムを得ることを目的とする。
【課題を解決するための手段】
【０００７】
本発明に係る点灯装置は、直流電源から電力の供給を受ける第１入力端子と、該直流電源から電力の供給を受ける第２入力端子と、一端が該第１入力端子と接続された第１直流供給線路と、一端が該第２入力端子と接続された第２直流供給線路と、該第１直流供給線路の他端と該第２直流供給線路の他端とに接続され、光源を点灯させるバックコンバータ回路と、該第１直流供給線路上に設けられアノードが該第１入力端子と接続された、または、該第２直流供給線路上に設けられカソードが該第２入力端子と接続された第１ダイオードと、該第１ダイオードと該バックコンバータ回路との間で、該第１直流供給線路と該第２直流供給線路とを接続するコンデンサと、を備える。
【発明の効果】
【０００８】
本発明に係る点灯装置では、第１ダイオードよりも直流電源側でインピーダンスが低下する障害が発生すると、第１ダイオードの寄生容量による電流が、第１ダイオードとコンデンサを含む経路を通って直流電源側に流れる。このため、第１ダイオードの寄生容量による電流が、バックコンバータ回路を流れることを防止できる。従って、バックコンバータ回路を保護できる。
【図面の簡単な説明】
【０００９】
【図１】実施の形態１に係る照明器具の回路ブロック図である。
【図２】比較例に係る照明器具の電流波形を示す図である。
【図３】実施の形態１に係る照明器具の電流波形を示す図である。
【図４】実施の形態１に係るコンデンサの電流波形を示す図である。
【図５】実施の形態１の第１の変形例に係る照明器具の回路ブロック図である。
【図６】実施の形態１の第２の変形例に係る照明システムを説明する図である。
【発明を実施するための形態】
【００１０】
本発明の実施の形態に係る点灯装置、照明器具および照明システムについて図面を参照して説明する。同じ又は対応する構成要素には同じ符号を付し、説明の繰り返しを省略する場合がある。
【００１１】
実施の形態１．
図１は、実施の形態１に係る照明器具１００の回路ブロック図である。照明器具１００は、ＬＥＤモジュール３と、点灯装置１と、調光器４とを備えている。ＬＥＤモジュール３は、直列に接続された複数の光源３ａを備える。光源３ａは自己に流れる電流の大きさが光出力の大きさに反映されるＬＥＤである。ＬＥＤモジュール３は、光源３ａを１つ以上備えれば良い。また、複数の光源３ａは、並列または直並列に接続されても良い。
【００１２】
点灯装置１は、直流電源２から電力の供給を受け、光源３ａを点灯させる。直流電源２は、例えば太陽光電池、バッテリまたは直流給電システムである。点灯装置１は直流給電用点灯装置である。
【００１３】
調光器４には、リモコン５からの信号が入力される。リモコン５からの信号は例えば、調光指令値である。調光指令値は調光器４から点灯装置１に入力される。点灯装置１は、調光指令値に従い光源３ａを点灯させる。
【００１４】
点灯装置１は第１入力端子９１と第２入力端子９２とを備える。第１入力端子９１と第２入力端子９２は、直流電源２から電力の供給を受ける。第１入力端子９１は直流電源２の正極に接続される。第２入力端子９２は直流電源２の負極に接続される。
【００１５】
点灯装置１は、第１直流供給線路８１と第２直流供給線路８２とを備える。第１直流供給線路８１の一端は第１入力端子９１と接続される。第２直流供給線路８２の一端は、第２入力端子９２と接続される。第１直流供給線路８１は第１入力端子９１を介して直流電源２の正極に接続される。第２直流供給線路８２は第２入力端子９２を介して直流電源２の負極に接続される。
【００１６】
点灯装置１はバックコンバータ回路２０を備える。バックコンバータ回路２０は、第１直流供給線路８１の他端と、第２直流供給線路８２の他端とに接続される。バックコンバータ回路２０は、第１直流供給線路８１、第２直流供給線路８２を介し直流電源２から電力の供給を受け、光源３ａを点灯させる。
【００１７】
第１入力端子９１、第２入力端子９２とバックコンバータ回路２０との間には、入力フィルタ回路１０が設けられる。入力フィルタ回路１０は、サージ電圧等からバックコンバータ回路２０を保護する。入力フィルタ回路１０とバックコンバータ回路２０との間には入力電圧検出回路６０が設けられる。入力電圧検出回路６０は、バックコンバータ回路２０への入力電圧を検出する。
【００１８】
バックコンバータ回路２０には制御部４０が接続される。制御部４０はバックコンバータ回路２０を制御する。また、制御部４０は調光信号Ｉ／Ｆ回路３０を介して調光器４と接続される。調光信号Ｉ／Ｆ回路３０は、調光器４からの調光指令値を変換して制御部４０に入力する。
【００１９】
バックコンバータ回路２０は、出力電圧検出回路７０を介して出力端子９３、９４と接続される。出力電圧検出回路７０は出力端子９３、９４間に印加される電圧を検出する。出力端子９３、９４には、ＬＥＤモジュール３が接続される。
【００２０】
入力フィルタ回路１０において、第１直流供給線路８１上にはヒューズ１１が設けられる。ヒューズ１１の第１入力端子９１と反対側の端部にはノーマルコイル１６の一端、バリスタ１２の一端およびコンデンサ１３の正極が接続される。ノーマルコイル１６の他端は第１ダイオード１７のアノードに接続される。バリスタ１２の他端とコンデンサ１３の負極は第２入力端子９２に接続される。第１ダイオード１７のカソードには、コンデンサ１４の正極と、バリスタ１５の一端が接続される。コンデンサ１４の負極と、バリスタ１５の他端は第２入力端子９２に接続される。
【００２１】
ヒューズ１１は、規定の温度に達すると溶断する。このため、大電流または過熱等からバックコンバータ回路２０を保護できる。バリスタ１２、１５は、両端に印加される電圧が閾値よりも高くなると抵抗値が低下する。このため、第１直流供給線路８１、第２直流供給線路８２間に高電圧が印加された場合に発生する電流を、バリスタ１２、１５によってバイパスできる。従って、バリスタ１２、１５によって、サージ電圧等からバックコンバータ回路２０を保護できる。
【００２２】
コンデンサ１３は、外来ノイズをバイパスする機能を備える。また、直流電源２から点灯装置１への入力電圧が低下した場合に、コンデンサ１３によって光源３ａのちらつきを抑制できる。また、ノーマルコイル１６は、例えば、外来ノイズが光源３ａ側に伝播することを抑制する。
【００２３】
第１ダイオード１７は第１直流供給線路８１上に設けられる。第１ダイオード１７はアノードが第１入力端子９１と接続される。第１ダイオード１７はカソードが点灯装置１の出力側、アノードが点灯装置１の入力側に接続される。第１ダイオード１７は順方向接続で設けられている。
【００２４】
第１ダイオード１７は、第１入力端子９１および第２入力端子９２が直流電源２に誤接続された場合に、バックコンバータ回路２０に電流が流れることを防止する。誤接続は、第１入力端子９１に直流電源２の負極が接続され、第２入力端子９２に直流電源２の正極が接続される状態を示す。従って、第１ダイオード１７は直流電源２への誤接続によるバックコンバータ回路２０の故障を防止する。
【００２５】
一般にＰＮ構造を有するダイオードでは、アノードとカソードとの間に静電容量が発生する。この静電容量は寄生容量と呼ばれる。図１において、第１ダイオード１７の寄生容量が、アノードとカソードの間に接続されたコンデンサとして図示されている。
【００２６】
また、コンデンサ１４は、第１ダイオード１７とバックコンバータ回路２０との間で、第１直流供給線路８１と第２直流供給線路８２とを接続する。コンデンサ１４の機能については後述する。
【００２７】
入力電圧検出回路６０は、直列に接続された抵抗６１、６２を有する。抵抗６１、６２の直列回路は、第１直流供給線路８１と第２直流供給線路８２とを接続する。入力電圧検出回路６０は、入力フィルタ回路１０の出力端に設けられる。バックコンバータ回路２０への入力電圧は、抵抗６１と抵抗６２により分圧され、制御部４０に入力される。制御部４０はこの検出電圧に基づいて、バックコンバータ回路２０への入力電圧を検出する。
【００２８】
出力電圧検出回路７０は、直列に接続された抵抗７１、７２を有する。出力電圧検出回路７０はバックコンバータ回路２０の出力端に設けられる。抵抗７１、７２の直列回路は、バックコンバータ回路２０の出力端の正極側と負極側を接続する。ＬＥＤモジュール３の両端に印加される電圧は、抵抗７１と抵抗７２により分圧され、制御部４０に入力される。制御部４０はこの検出電圧に基づいて、ＬＥＤモジュール３の接続有無または電圧異常を検出する。
【００２９】
バックコンバータ回路２０は、スイッチング素子２８を備える。スイッチング素子２８は例えばＭＯＳＦＥＴ（Ｍｅｔａｌ−Ｏｘｉｄｅ−Ｓｅｍｉｃｏｎｄｕｃｔｏｒ  Ｆｉｅｌｄ−Ｅｆｆｅｃｔ  Ｔｒａｎｓｉｓｔｏｒ）である。スイッチング素子２８は、第１端子２８ａ、第２端子２８ｂおよび制御端子２８ｃを有する。第１端子２８ａはドレインであり、第１直流供給線路８１に接続される。第２端子２８ｂはソースであり、第２ダイオード２１のカソードと接続される。制御端子２８ｃはゲートであり、制御部４０に接続される。制御端子２８ｃは、制御部４０からの信号に応じて第１端子２８ａと第２端子２８ｂとの間をスイッチングする。
【００３０】
一般にＭＯＳＦＥＴでは、製造過程でソースをアノードとし、ドレインをカソードとするダイオードが作りこまれる。このタイオードは寄生ダイオードと呼ばれる。図１ではスイッチング素子２８の寄生ダイオードが、第１端子２８ａにカソードが接続され、第２端子２８ｂにアノードが接続されたダイオードとして図示されている。
【００３１】
第２ダイオード２１のアノードは第２直流供給線路８２に接続される。スイッチング素子２８の第２端子２８ｂには、さらにインダクタ２２の一端が接続される。インダクタ２２の他端は、コンデンサ２３の正極と、出力電圧検出回路７０に接続される。コンデンサ２３の負極は、第２直流供給線路８２と接続される。インダクタ２２は２次巻き線を有する。インダクタ２２の２次巻き線は、制御部４０に接続される。
【００３２】
バックコンバータ回路２０では、スイッチング素子２８と第２ダイオード２１からなる直列回路が、コンデンサ１４と並列に接続されている。また、インダクタ２２とコンデンサ２３との直列回路が第２ダイオード２１に並列に接続している。
【００３３】
スイッチング素子２８の第１端子２８ａには抵抗２９を介してツェナーダイオード２７のカソードが接続される。ツェナーダイオード２７のアノードは第２直流供給線路８２と接続される。これにより、スイッチング素子２８のドレイン電圧が確保される。従って、スイッチング素子２８はハイサイドでスイッチングするためのエネルギーを得ることができる。
【００３４】
点灯装置１は、さらに検出抵抗２６を備える。検出抵抗２６は、バックコンバータ回路２０に設けられている。検出抵抗２６には、ＬＥＤモジュール３に流れるＬＥＤ電流に対応した電圧が印加される。検出抵抗２６はＬＥＤ電流の検出に用いられる。検出抵抗２６に印加される検出電圧は、制御部４０に入力される。
【００３５】
制御部４０は例えばマイコンである。制御部４０は、制御回路、記憶部、Ａ／Ｄ変換回路および処理装置等を備えている。デジタル電源用制御装置として提供されるマイコンは、既に各種のものが公知である。このため、それらの公知のマイコンを制御部４０に使用することができる。また、ＤＳＰ（Ｄｉｇｉｔａｌ  Ｓｉｇｎａｌ  Ｐｒｏｃｅｓｓｏｒ）等の演算装置で制御部４０を構成することもできる。制御部４０の電源は、第１直流供給線路８１に接続された制御電源生成回路５０から入力される。制御電源生成回路５０は、入力電圧ラインである第１直流供給線路８１から、マイコン用の電源を生成して出力する。
【００３６】
制御部４０は検出抵抗２６に印加される検出電圧と、インダクタ２２の２次巻き線で検出したボトム電圧に基づいて、スイッチング素子２８の制御端子２８ｃに入力する制御指令値を制御する。制御部４０は、ＬＥＤモジュール３に流れる電流が一定になるように、スイッチング素子２８をオンオフする。
【００３７】
制御部４０には、入力電圧検出回路６０から、バックコンバータ回路２０への入力電圧に応じた電圧が入力される。また、制御部４０には、検出抵抗２６で検知したＬＥＤ電流に応じた電圧が入力される。さらに、制御部４０には、出力電圧検出回路７０からバックコンバータ回路２０の出力電圧に応じた電圧が入力される。
【００３８】
Ａ／Ｄ変換回路では、これらの電圧値がデジタル値に変換される。このデジタル値を用いて処理装置により演算処理が行われる。処理装置では、スイッチング素子２８のスイッチング制御におけるオン時間などが算出される。
【００３９】
制御回路は、処理装置の算出したオン時間などに基づいて、スイッチング素子２８を制御する。制御回路は、スイッチング素子２８をスイッチングするＰＷＭ信号を出力する。記憶部は、例えば不揮発性メモリである。記憶部は、処理装置で実行すべき演算プログラムおよび演算に用いられる各種データを記憶している。記憶部に対しては外部からデータの書き込みおよび読み出しが行われるようになっている。
【００４０】
また、制御部４０には、調光信号Ｉ／Ｆ回路３０を介して調光器４からの調光指令値が入力される。この調光指令値に基づいて決定される目標電流と、ＬＥＤ電流とが一致するように、制御部４０は検出抵抗２６で検知したＬＥＤ電流に基づいてスイッチング素子２８のオン時間を調整する。
【００４１】
このように、制御部４０は、ＬＥＤに流す電流が目標電流と一致するようにバックコンバータ回路２０を制御する。点灯装置１では、バックコンバータ回路２０の出力電流に基づいて制御部４０がバックコンバータ回路２０を制御するフィードバック制御が実施される。
【００４２】
また、制御部４０には抵抗２９とツェナーダイオード２７の接続点の電圧が入力される。これにより制御部４０は、スイッチング素子２８の第１端子２８ａの電圧を検出する。制御部４０は、第１端子２８ａの電圧に応じてスイッチング素子２８のオン時間を調整するものとしても良い。この結果、バックコンバータ回路２０への入力電圧の変動に対して、バックコンバータ回路２０の出力電流を安定して制御できる。
【００４３】
ここで、照明器具１００において、例えば第１ダイオード１７よりも直流電源２側で第１直流供給線路８１が短絡する障害が発生したとする。この場合、点灯装置１には正常に電力が供給されず、点灯装置１は停止状態となる。このとき、第１直流供給線路８１が短絡しているため、点灯装置１は第１ダイオード１７よりも第１入力端子９１、第２入力端子９２側の入力インピーダンスが低い状態で停止する。つまり、点灯装置１は第１ダイオード１７よりも直流電源２側のインピーダンスが低く、直流電源２側に向かって電流が流れ易い状態で停止する。このとき、第１ダイオード１７の寄生容量が第１入力端子９１に向かって流れようとする。
【００４４】
次に、この第１ダイオード１７の寄生容量による電流の経路について説明する。まず、比較例としてコンデンサ１４が設けられない場合について説明する。図２は、比較例に係る照明器具の電流波形を示す図である。比較例に係る照明器具は、コンデンサ１４を備えない点が本実施の形態の照明器具１００と異なる。
【００４５】
上述したように、バックコンバータ回路２０のスイッチング素子２８は寄生ダイオードを有する。寄生ダイオードと第１ダイオード１７は直列に接続されている。このとき、第１ダイオード１７の寄生容量による電流は、第２ダイオード２１、スイッチング素子２８および第１ダイオード１７を通る経路で第１入力端子９１に向かって流れる。
【００４６】
図２には、比較例に係る照明器具において短絡障害が発生した際の第１ダイオード１７の寄生容量による電流１１７ａ、スイッチング素子２８の寄生ダイオードを流れる電流１２８ａおよび第２ダイオード２１を流れる電流１２１ａの実験データが示されている。第１ダイオード１７の寄生容量による電流１１７ａの大きさは、約６０Ａである。これに対し、第２ダイオード２１を流れる電流１２１ａの大きさも約６０Ａである。これにより、第１ダイオード１７の寄生容量による電流１１７ａは、バックコンバータ回路２０の第２ダイオード２１から流れ込んでいることが分かる。
【００４７】
このように、コンデンサ１４を設けない場合には、第２ダイオード２１に大電流が流れる可能性がある。従って、第２ダイオード２１が故障する可能性がある。
【００４８】
次に、本実施の形態での電流の経路について説明する。図３は、実施の形態１に係る照明器具１００の電流波形を示す図である。図４は、実施の形態１に係るコンデンサ１４の電流波形を示す図である。本実施の形態では、第１ダイオード１７のカソードには、コンデンサ１４が接続される。このため、短絡などにより、第１ダイオード１７よりも直流電源２側でインピーダンスが低下する障害が発生した場合、第１ダイオード１７の寄生容量による電流が、第１ダイオード１７とコンデンサ１４を含む経路を通って直流電源２側に流れる。
【００４９】
図３には、照明器具１００において短絡障害が発生した場合の第１ダイオード１７の寄生容量による電流１１７、スイッチング素子２８の寄生ダイオードを流れる電流１２８および第２ダイオード２１を流れる電流１２１の実験データが示されている。第１ダイオード１７の寄生容量による電流１１７の大きさは、約４ｋＡである。これに対し、スイッチング素子２８と第２ダイオード２１には電流が流れていないことが分かる。
【００５０】
図４には、照明器具１００において短絡障害が発生した場合のコンデンサ１４を流れる電流１１４の実験データが示されている。コンデンサ１４を流れる電流１１４の大きさは約４ｋＡである。つまり、コンデンサ１４には、第１ダイオード１７と同等の電流が流れている。従って、第１ダイオード１７の寄生容量による電流は、コンデンサ１４から流れ込んでいることが分かる。
【００５１】
本実施の形態では、短絡障害が発生した状態で、スイッチング素子２８と第２ダイオード２１には第１ダイオード１７の寄生容量による電流が流れない。従って、第２ダイオード２１の故障を防止できる。本実施の形態では、直流供給線路の短絡障害などにより第１ダイオード１７よりも入力側のインピーダンスが低下した場合に、バックコンバータ回路２０を保護できる。
【００５２】
ここで、コンデンサ１４の容量は、第１ダイオード１７の寄生容量よりも大きいことが望ましい。これにより、第１ダイオード１７の寄生容量による電流を、確実にコンデンサ１４を通る経路で流すことができる。
【００５３】
本実施の形態では、第１ダイオード１７によって、第１入力端子９１、第２入力端子９２の直流電源２への誤接続から、バックコンバータ回路２０を保護できる。ここで、第１ダイオード１７よりも入力側のインピーダンスが低下する短絡障害などの障害の発生時には、第１ダイオード１７の寄生容量によって、第１ダイオード１７から入力側へ大電流が流れる場合がある。これに対し本実施の形態では、第１ダイオード１７とバックコンバータ回路２０との間にコンデンサ１４を設けることで、このような障害の発生時に、バックコンバータ回路２０に大電流が流れることを防止できる。従って、第１入力端子９１、第２入力端子９２の直流電源２への誤接続と、第１ダイオード１７の寄生容量による電流との両方からバックコンバータ回路２０を保護できる。
【００５４】
本実施の形態では、第１ダイオード１７よりも直流電源２側で第１直流供給線路８１が短絡する障害が発生した場合について説明した。これに限らず、本実施の形態は、第１ダイオード１７よりも直流電源２側でインピーダンスが低下し、第１ダイオード１７の寄生容量による電流が直流電源２側に流れるあらゆる場合に適用できる。例えば、第１入力端子９１と直流電源２との間で配線が短絡するものとしても良い。
【００５５】
また、本実施の形態ではコンデンサ１４は第１ダイオード１７のカソードの直後に設けられる。コンデンサ１４と第１ダイオード１７との間には、能動素子または受動素子が設けられない。これにより、コンデンサ１４から第１ダイオード１７に確実に電流を流すことができる。これに限らず、コンデンサ１４は第１ダイオード１７とバックコンバータ回路２０との間に設けられれば良い。
【００５６】
また、バックコンバータ回路２０は本実施の形態で示したものに限らない。バックコンバータ回路２０として、スイッチング素子２８のオンオフにより光源３ａを点灯させるあらゆる回路を採用できる。
【００５７】
図５は、実施の形態１の第１の変形例に係る照明器具２００の回路ブロック図である。照明器具２００は、点灯装置２０１を備える。点灯装置２０１は入力フィルタ回路２１０の構造が点灯装置１と異なる。照明器具２００のこれ以外の構造は、実施の形態１と同様である。
【００５８】
入力フィルタ回路２１０において、ノーマルコイル１６の他端は、コンデンサ１４の正極とバリスタ１５の一端に接続される。コンデンサ１４の負極と、バリスタ１５の他端には第１ダイオード２１７のアノードが接続される。第１ダイオード２１７のカソードは第２入力端子９２に接続される。
【００５９】
第１の変形例では、第１ダイオード２１７は、第２直流供給線路８２上に設けられる。入力フィルタ回路２１０のこれ以外の構造は、入力フィルタ回路１０と同様である。第１ダイオード２１７はカソードが第２入力端子９２と接続される。第１ダイオード２１７はアノードが点灯装置１の出力側、カソードが点灯装置１の入力側に接続される。第１ダイオード２１７は順方向接続で設けられている。
【００６０】
実施の形態１と同様に、第１ダイオード２１７は、第１入力端子９１および第２入力端子９２が直流電源２に誤接続された場合に、バックコンバータ回路２０に電流が流れることを防止する。従って、照明器具２００においても、第１ダイオード２１７によって、第１入力端子９１、第２入力端子９２の直流電源２への誤接続から、バックコンバータ回路２０を保護できる。なお、図５において第１ダイオード２１７の寄生容量が、アノードとカソードの間に接続されたコンデンサとして図示されている。
【００６１】
また、コンデンサ１４は、第１ダイオード２１７とバックコンバータ回路２０との間で、第１直流供給線路８１と第２直流供給線路８２とを接続する。
【００６２】
第１の変形例では、第１ダイオード２１７よりも直流電源２側でインピーダンスが低下する障害が発生した場合、第１ダイオード２１７の寄生容量による電流が、第１ダイオード２１７からコンデンサ１４を通って第１入力端子９１側に流れる。このため、短絡障害などの第１ダイオード２１７よりも入力側のインピーダンスが低下する障害の発生時に、バックコンバータ回路２０に大電流が流れることを防止できる。従って、実施の形態１と同様に、第１入力端子９１、第２入力端子９２の直流電源２への誤接続と、第１ダイオード２１７の寄生容量による電流との両方から、バックコンバータ回路２０を保護できる。
【００６３】
図６は、実施の形態１の第２の変形例に係る照明システム８００を説明する図である。照明システム８００は、照明器具１００を複数備える。照明システム８００において、直流電源２には複数の照明器具１００が接続されている。このような複数の照明器具１００から構成される照明システム８００にも本実施の形態を適用できる。
【００６４】
例えば、複数の照明器具１００のうち１つにおいて第１直流供給線路８１に短絡が発生したとする。この場合、複数の照明器具１００の各々で入力側のインピーダンスが低下し、第１ダイオード１７の寄生容量による電流が入力側に向かって流れる可能性がある。照明システム８００では、各々の照明器具１００において第１ダイオード１７の寄生容量による電流からバックコンバータ回路２０を保護できる。
【００６５】
また、照明器具１００は、器具本体部１００ｂと、器具本体部１００ｂに取り付けられた光源ユニット１００ａを備える。器具本体部１００ｂは天井などに取り付けられる。光源ユニット１００ａは、点灯装置１を備える。また、点灯装置１は器具本体部１００ｂに設けられても良い。
【符号の説明】
【００６６】
８００  照明システム、１００、２００  照明器具、１００ａ  光源ユニット、１００ｂ器具本体部、１、２０１  点灯装置、２  直流電源、３  ＬＥＤモジュール、３ａ  光源、４  調光器、５  リモコン、１０、２１０  入力フィルタ回路、１１  ヒューズ、１２  バリスタ、１３  コンデンサ、１４  コンデンサ、１５  バリスタ、１６  ノーマルコイル、１７  第１ダイオード、２０  バックコンバータ回路、２１  第２ダイオード、２２  インダクタ、２３  コンデンサ、２６  検出抵抗、２７  ツェナーダイオード、２８  スイッチング素子、２８ａ  第１端子、２８ｂ  第２端子、２８ｃ  制御端子、２９  抵抗、３０  調光信号Ｉ／Ｆ回路、４０  制御部、６０  入力電圧検出回路、６１  抵抗、６２  抵抗、７０  出力電圧検出回路、７１  抵抗、７２  抵抗、８１  第１直流供給線路、８２  第２直流供給線路、９１  第１入力端子、９２  第２入力端子、９３、９４  出力端子
【図１】
2019067691.tif 000003
【図２】
2019067691.tif 000004
【図３】
2019067691.tif 000005
【図４】
2019067691.tif 000006
【図５】
2019067691.tif 000007
【図６】
2019067691.tif 000008